(57)【要約】【課題】  ヘッドの重心を下げることが容易なウッド形ゴルフクラブのヘッドを提供する。【解決手段】  中空構造からなるウッド形のゴルフクラブのヘッドにおいて、ヘッド本体２の上面を形成するクラウン部に切欠き開口部９を形成してなる。ヘッド本体２の背面部８を切欠き、側面部７をフェース面３側から背面側に向かって次第に低く形成するようにしてもよい。【選択図】  図３
0003158955.tif 000002
【実用新案登録請求の範囲】
【請求項１】
中空構造からなるウッド形のゴルフクラブのヘッドにおいて、ヘッド本体の上面を形成するクラウン部に切欠き開口部を形成してなることを特徴とするウッド形ゴルフクラブのヘッド。
【請求項２】
ヘッド本体の背面部を切欠き、側面部をフェース面側から背面側に向かって次第に低く形成してなる請求項１に記載のウッド形ゴルフクラブのヘッド。
【考案の詳細な説明】
【技術分野】
【０００１】
本考案は、ゴルフクラブのヘッド、特にウッド形のゴルフクラブのヘッドの構造に関するものである。
【背景技術】
【０００２】
ゴルフクラブのヘッドは、ボールを上げやすい、高い打ち出し、低スピンの球筋が好まれる、などの理由から、重心が低い位置にある低重心化の傾向にある。
ウッド形ゴルフクラブのヘッドにおいて、ヘッドを低重心化をするために、従来は、下部に重量を配分する、ソール面積を広くする、ネックを短くするなどの工夫が施されている。
しかし、これだけでは、ヘッドの低重心化を図るのにも限界がある。
【先行技術文献】
【非特許文献】
【０００３】
【非特許文献１】株式会社ユニバーサルゴルフ社発行「２００８年版ゴルフ用品総合カタログ  第７０６頁
【考案の概要】
【考案が解決しようとする課題】
【０００４】
そこで、本考案の目的は、ヘッドの重心を下げることが容易なウッド形ゴルフクラブのヘッドを提供することにある。
【課題を解決するための手段】
【０００５】
上記課題を解決するため、本考案によるウッド形ゴルフクラブのヘッドは、中空構造からなるウッド形のゴルフクラブのヘッドにおいて、ヘッド本体の上面を形成するクラウン部に切欠き開口部を形成してなること、を特徴としている。
さらに、ヘッド本体の背面部を切欠き、側面部をフェース面側から背面側に向かって次第に低く形成するようにしてもよい。
【考案の効果】
【０００６】
本考案によるウッド形ゴルフクラブのヘッドによれば、ヘッド本体の上面を形成するクラウン部に切欠き開口部を形成したので、切欠いたクラウン部の分だけ重心が低くなる。切欠いたクラウン部をソール部（底部）に配分すれば、重心をさらに低くすることができる。切欠いたクラウン部の一部をフェース面に配分することもでき、その分フェース面を広くすることができる。
また、ヘッド本体の上面を形成するクラウン部に切欠き開口部を形成したので、ボールの横にゴルフクラブのヘッドを構えた際に、ソールの上面（底面）を上方から視認することができる。
ヘッド本体の背面部を切欠き、側面部をフェース面側から背面側に向かって次第に低く形成すれば、さらに低重心化できる。フェース面をさらに広くすることもできる。また、ソールの上面の視認性はさらに高まる。
【図面の簡単な説明】
【０００７】
【図１】本考案の第１実施例によるゴルフクラブのヘッドの正面図である。
【図２】本考案の第１実施例によるゴルフクラブのヘッドの背面図である。
【図３】本考案の第１実施例によるゴルフクラブのヘッドの平面図である。
【図４】本考案の第１実施例によるゴルフクラブのヘッドの底面図である。
【図５】本考案の第１実施例によるゴルフクラブのヘッドの左側面図である。
【図６】図３のＡ−Ａ断面図である。
【図７】本考案の第２実施例によるゴルフクラブのヘッドの正面図である。
【図８】本考案の第２実施例によるゴルフクラブのヘッドの背面図である。
【図９】本考案の第２実施例によるゴルフクラブのヘッドの平面図である。
【図１０】本考案の第２実施例によるゴルフクラブのヘッドの底面図である。
【図１１】本考案の第２実施例によるゴルフクラブのヘッドの左側面図である。
【考案を実施するための形態】
【０００８】
以下、本考案を実施するための形態を図面に基づいて具体的に説明する。ウッド形のゴルフクラブのヘッド本体２は、ボールの打球面となるフェース３，クラブヘッドの底の部分をなすソール４，シャフト５を連結するネック（ホーゼル）６，上面を形成するクラウン部，側面を形成する側面部７，背面を形成する背面部８から構成される。
本考案の第１実施例によるウッド形のゴルフクラブのヘッド１は、ヘッド本体２のクラウン部を切欠いて上面に開口部９を形成したものである。図のように、上面の略全域を切欠いて大きな開口部９を形成するのが好ましい。このようにクラウン部を切欠いて上面に開口部９を形成したので、ゴルフクラブを構えた際、上方からソール４の上面（底面）４ａを視認できることになる。
視認するソール面は、ソール部の厚さ分を除いて略地面と同一面となる。このため、アドレスしたとき、ボールが打ち易く見えて、ミスショットも少なくなる。
【０００９】
切欠いたクラウン部の分だけ重心が低くなる。この切欠いたクラウン部に相当する重量をソール部（底部）に配分することにより、さらに重心を低くできる。このように低重心化を図ることができるので、高い打ち出し、低スピンの球筋が得られ易く、飛距離が伸びるだけでなく、途中で吹き上がりもしないし、先にいってもボールの速度が落ちにくく、風の影響を受けにくくなる。
また、切欠いたクラウン部に相当する重量の一部をフェース面３に配分すれば、フェース面３を広くすることができる。このため、ミート率のアップも期待できる。
【００１０】
本考案の第２実施例によるウッド形のゴルフクラブヘッド１は、第１実施例によるヘッドにおいて、さらに背面部８を切欠き、側面部７を、フェース面３側から背面側（後方）に向かって次第に低くなるように形成したものである。側面部７をこのように形成することにより、該側面部７に補強リブの役割をもたせて、強度不足とならないようにしてある。
このようにすれば、切欠いた背面部、側面部に相当する重量の一部を、さらにソール部に配分することができ、一層の低重心化が可能となる。また、フェース面３に配分すればフェース面３をさらに広くすることができる。
また、背面部や背面側の側面部が切欠かれて、遮るものがより少なくなるため、ソール４の上面４ａの視認性はさらに高まる。
なお、本考案によるゴルフクラブのヘッドをロングキャビチィーと称するものとする。
【符号の説明】
【００１１】
１  ゴルフクラブのヘッド
２  ヘッド本体
３  フェース
４  ソール
４ａ  ソールの上面
５  シャフト
６  ネック
７  側面部
８  背面部
９  開口部
【図１】
0003158955.tif 000003
【図２】
0003158955.tif 000004
【図３】
0003158955.tif 000005
【図４】
0003158955.tif 000006
【図５】
0003158955.tif 000007
【図６】
0003158955.tif 000008
【図７】
0003158955.tif 000009
【図８】
0003158955.tif 000010
【図９】
0003158955.tif 000011
【図１０】
0003158955.tif 000012
【図１１】
0003158955.tif 000013